(57)【要約】【課題】情報検索サービス提供者によって提供されるデータベースに対し、サービス利用者が自らデータの登録、変更等の更新を容易に行うことが可能な情報検索装置の情報更新プログラムおよび情報更新方法の提供。【解決手段】ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示する情報入力ウィンドウ表示手段１７、バーコードリーダ１３によって読み取られたバーコードデータを情報入力ウィンドウのバーコードデータの入力欄へ入力するバーコードデータ入力手段１４、情報入力ウィンドウのＵＲＬの入力欄に入力されたＵＲＬを情報入力ウィンドウのバーコードデータの入力欄に入力されたバーコードデータに関連付けしてＤＢ７へ登録するデータベース登録手段１８を備える。【選択図】        図２
2004227404.tif 000002
【特許請求の範囲】
【請求項１】
バーコードデータと各バーコードデータに関連付けしたＵＲＬとを蓄積したデータベースを備え、バーコードリーダによって読み取られたバーコードデータに対応するＵＲＬを前記データベースから検索する情報検索装置の情報更新プログラムであって、
前記情報検索装置を、
ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示する手段、
前記バーコードリーダによって読み取られたバーコードデータを前記情報入力ウィンドウのバーコードデータの入力欄へ入力する手段、
前記情報入力ウィンドウのＵＲＬの入力欄に入力されたＵＲＬを前記情報入力ウィンドウのバーコードデータの入力欄に入力されたバーコードデータに関連付けして前記データベースへ登録する手段
として機能させるための情報更新プログラム。
【請求項２】
バーコードデータと各バーコードデータに関連付けしたＵＲＬとを蓄積したデータベースを備え、バーコードリーダによって読み取られたバーコードデータに対応するＵＲＬを前記データベースから検索する情報検索装置の情報更新方法であって、
前記情報検索装置が、
ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示するステップ、
前記バーコードリーダによって読み取られたバーコードデータを前記情報入力ウィンドウのバーコードデータの入力欄へ入力するステップ、
前記情報入力ウィンドウのＵＲＬの入力欄に入力されたＵＲＬを前記情報入力ウィンドウのバーコードデータの入力欄に入力されたバーコードデータに関連付けして前記データベースへ登録するステップ
を実行することを特徴とする情報更新方法。
【請求項３】
バーコードデータと各バーコードデータに関連付けしたＵＲＬとを蓄積したデータベースを備え、バーコードリーダによって読み取られたバーコードデータに対応するＵＲＬを前記データベースから検索する情報検索装置において、
ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示する手段、
前記バーコードリーダによって読み取られたバーコードデータを前記情報入力ウィンドウのバーコードデータの入力欄へ入力する手段、
前記情報入力ウィンドウのＵＲＬの入力欄に入力されたＵＲＬを前記情報入力ウィンドウのバーコードデータの入力欄に入力されたバーコードデータに関連付けして前記データベースへ登録する手段
を備えたことを特徴とする情報検索装置。
【発明の詳細な説明】
【０００１】
【発明の属する技術分野】
本発明は、商品に付されたバーコードを読み取ることにより、その商品に対応するＵＲＬなどの情報を取得する情報検索装置の情報更新プログラムおよび情報更新方法並びに情報検索装置に関する。
【０００２】
【従来の技術】
既存の商品に付されたバーコードをバーコードリーダによって読み取り、この読み取ったバーコードのデータに対応するＵＲＬ（Ｕｎｉｆｏｒｍ  Ｒｅｓｏｕｒｃｅ  Ｌｏｃａｔｏｒ）などの情報を検索する情報検索装置が知られている（例えば、特許文献１，２，３参照）。これらの情報検索装置は、商品のバーコードのデータとその商品に対応するウェブページのＵＲＬなどの情報をデータベースに記録したものである。
【０００３】
これらの情報検索装置では、情報検索サービスの利用者が商品のバーコードをバーコードリーダにより読み取ると、情報検索装置はバーコードリーダによって読み取られたデータに基づいてデータベースを検索し、その商品に対応するＵＲＬなどの情報を取得する。これにより、利用者は、この取得したＵＲＬに基づいてその商品に関する情報をウェブページ上から取得することが可能になるというものである。
【０００４】
また、特許文献３には、商品情報登録ページを用いてバーコードのデータとＵＲＬとを対応付けてデータベースに登録する構成が記載されている。これは、ホームページサービスを利用することにより、商品の情報を提供しようとする登録者側で自由にデータベースへの登録等を行えるようにしたものである。これにより、情報検索装置により情報検索サービスを提供しようとする者のデータベースの維持管理にかかる負担を抑えることが可能となることが記載されている。
【０００５】
【特許文献１】
特開２００２−１８３１８３号公報（第３−５頁、図１−５）
【特許文献２】
特開２００２−１４０２４５号公報（第５−６頁、図１）
【特許文献３】
特開２００１−３５０７８２号公報（第４−７頁、図１−１２）
【０００６】
【発明が解決しようとする課題】
特許文献１，２にはデータベースの情報をどのようにして構築するのか具体的に示されていないが、特許文献３に記載のように、通常、データベースの構築はサービス提供者によって行われる。サービスの利用者は単にこの構築されたデータベースを利用することができるだけである。
【０００７】
ところが、商品の種類によっては、新商品の開発や既存の商品の改良が頻繁に行われる。そのため、サービス提供者によるデータベース更新の頻度によっては、データベースの内容が古くなって利用できないことがある。この場合、サービス利用者は、商品のバーコードをバーコードリーダにより読み取っても、その商品に対応する正確なＵＲＬを得ることができない。しかも、サービス利用者は、サービス提供者によってデータベースが更新されない限り、いつまでもその商品については情報検索サービスを利用することができないことになる。
【０００８】
そこで、本発明においては、情報検索サービス提供者によって提供されるデータベースに対し、サービス利用者が自らデータの登録、変更等の更新を容易に行うことが可能な情報検索装置の情報更新プログラムおよび情報更新方法を提供することを目的とする。
【０００９】
【課題を解決するための手段】
本発明の情報検索装置の情報更新プログラムは、バーコードデータと各バーコードデータに関連付けしたＵＲＬとを蓄積したデータベースを備え、バーコードリーダによって読み取られたバーコードデータに対応するＵＲＬをデータベースから検索する情報検索装置の情報更新プログラムであって、情報検索装置を、ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示する手段、バーコードリーダによって読み取られたバーコードデータを情報入力ウィンドウのバーコードデータの入力欄へ入力する手段、情報入力ウィンドウのＵＲＬの入力欄に入力されたＵＲＬを情報入力ウィンドウのバーコードデータの入力欄に入力されたバーコードデータに関連付けしてデータベースへ登録する手段として機能させるためのものである。
【００１０】
本発明の情報検索装置の情報更新方法は、バーコードデータと各バーコードデータに関連付けしたＵＲＬとを蓄積したデータベースを備え、バーコードリーダによって読み取られたバーコードデータに対応するＵＲＬをデータベースから検索する情報検索装置の情報更新方法であって、情報検索装置が、ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示するステップ、バーコードリーダによって読み取られたバーコードデータを情報入力ウィンドウのバーコードデータの入力欄へ入力するステップ、情報入力ウィンドウのＵＲＬの入力欄に入力されたＵＲＬを情報入力ウィンドウのバーコードデータの入力欄に入力されたバーコードデータに関連付けしてデータベースへ登録するステップを実行することを特徴とする。
【００１１】
本発明の情報検索装置は、バーコードデータと各バーコードデータに関連付けしたＵＲＬとを蓄積したデータベースを備え、バーコードリーダによって読み取られたバーコードデータに対応するＵＲＬをデータベースから検索する情報検索装置において、ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示する手段、バーコードリーダによって読み取られたバーコードデータを情報入力ウィンドウのバーコードデータの入力欄へ入力する手段、情報入力ウィンドウのＵＲＬの入力欄に入力されたＵＲＬを情報入力ウィンドウのバーコードデータの入力欄に入力されたバーコードデータに関連付けしてデータベースへ登録する手段を備えたことを特徴とするものである。
【００１２】
上記本発明に掛かる情報検索装置によれば、ブラウザウィンドウにバーコードと関連付けしたいウェブページを表示させた状態で、ブラウザウィンドウに隣接して情報入力ウィンドウが表示されるため、サービス利用者は、ブラウザウィンドウに表示されたウェブページのＵＲＬを参照して、このブラウザウィンドウに隣接して表示された情報入力ウィンドウのＵＲＬの入力欄に容易に入力することができる。また、このウェブページのＵＲＬと関連付けしたいバーコードをバーコードリーダによって読み取れば、この読み取られたバーコードデータが情報入力ウィンドウのバーコードデータの入力欄へ自動的に入力される。そして、この情報入力ウィンドウのバーコードデータの入力欄へ入力されたバーコードデータと情報入力ウィンドウのＵＲＬの入力欄に入力されたＵＲＬとが関連付けされてデータベースへ登録される。
【００１３】
【発明の実施の形態】
図１は本発明の実施の形態における情報検索システムの概略構成図である。
図１において、本発明の実施の形態における情報検索システムは、情報検索サービスの利用者が使用する情報検索装置としてのコンピュータ１と、このコンピュータ１により接続可能なウェブサーバ２ａ，２ｂ，２ｃ等とにより構成される。コンピュータ１とウェブサーバ２ａ，２ｂ，２ｃ等とは、電気通信ネットワークとしてのインターネット３を介して接続される。
【００１４】
コンピュータ１は、キーボードやマウス等の入力手段１１と、ディスプレイ等の表示手段１２と、薬品や日用品等の商品４に付されたバーコード５を読み取るバーコードリーダ１３とを備える。コンピュータ１は、ＣＤ−ＲＯＭやＤＶＤ−ＲＯＭ等の記録媒体６によって供給される情報検索プログラムを実行することにより情報検索装置として機能する。また、記録媒体６には、後述する情報更新プログラムおよび情報検索サービスの提供者によって構築されたデータベース（以下、「ＤＢ」と称す。）７（図２参照。）のデータが記録されている。記録媒体６は、情報検索サービスの提供者によって利用者へ提供される。
【００１５】
図２は情報検索プログラムおよび情報更新プログラムを実行した図１のコンピュータ１の機能ブロック図である。
コンピュータ１は、情報検索プログラムの実行により、図２に示すバーコードデータ入力手段１４、検索ウィンドウ表示手段１５および検索手段１６として機能する。また、コンピュータ１は、情報更新プログラムの実行により、前述のバーコードデータ入力手段１４、情報入力ウィンドウ表示手段１７およびデータベース登録手段１８として機能する。さらに、コンピュータ１は、ＵＲＬに基づいてウェブサーバ２ａ〜２ｃ等からウェブページ８，９等を取得し、表示手段１２へ表示するウェブ表示手段１９を備える。
【００１６】
図３はウェブ表示手段１９によって表示されるブラウザウィンドウおよび検索ウィンドウ表示手段１５によって表示される検索ウィンドウを示す図、図４はウェブ表示手段１９によって表示されるブラウザウィンドウおよび情報入力ウィンドウ表示手段１７によって表示される情報入力ウィンドウを示す図である。
【００１７】
検索ウィンドウ表示手段１５は、図３に示すように、ウェブ表示手段１９によって表示手段１２へ表示されるブラウザウィンドウ２０の下部に隣接して、検索ウィンドウ３０を表示するものである。検索ウィンドウ３０は、バーコードデータを入力するバーコードデータ入力欄３１およびバーコードデータ入力欄３１に入力された内容をクリアするクリアボタン３２を備える。
【００１８】
情報入力ウィンドウ表示手段１７は、図４に示すように、ウェブ表示手段１９によって表示手段１２へ表示されるブラウザウィンドウ２０の下部に隣接して、情報入力ウィンドウ４０を表示するものである。情報入力ウィンドウ４０は、バーコードデータを入力するバーコードデータ入力欄４１、ＵＲＬを入力するＵＲＬ入力欄４２、商品の名称を入力する名称入力欄４３、この情報入力ウィンドウ４０の上部に隣接するブラウザウィンドウ４０内に表示されているウェブページ８のＵＲＬを取り込んでＵＲＬ入力欄４２へ入力するＵＲＬ取込ボタン４４、データベース登録手段１８に対して各入力欄４１，４２，４３へ入力された内容をＤＢ７へ登録する指示を出す登録ボタン４５および各入力欄４１，４２，４３へ入力された内容をクリアするクリアボタン４６を備える。
【００１９】
バーコードデータ入力手段１４は、バーコードリーダ１３によって読み取られたバーコード５のデータを、図３の検索ウィンドウ３０のバーコードデータ入力欄３１または図４の情報入力ウィンドウ４０のバーコードデータ入力欄４１へ入力するものである。なお、各バーコード入力欄３１，４１にはバーコード５のデータをキーボードなどの入力手段１１により直接入力することも可能である。
【００２０】
検索手段１６は、図３の検索ウィンドウ３０のバーコードデータ入力欄３１へ入力されたバーコードデータに基づいて、このバーコードデータに対応するＵＲＬをＤＢ７から検索するものである。また、検索手段１６は、検索されたＵＲＬをウェブ表示手段１９に引き渡す。ウェブ表示手段１９は、検索手段１６から引き渡されたＵＲＬに基づいてウェブサーバ２ａ〜２ｃからウェブページを取得し、表示手段１２へ表示するものである。
【００２１】
データベース登録手段１８は、図４の情報入力ウィンドウ４０の登録ボタン４５の指示に基づいて、同じ情報入力ウィンドウ４０のＵＲＬ入力欄４２に入力されたＵＲＬおよび名称入力欄４３に入力された名称を、同じ情報入力ウィンドウ４０のバーコードデータ入力欄４１に入力されたバーコードデータに関連付けしてＤＢ７へ登録するものである。図５はＤＢ７に登録された内容の例を示している。
【００２２】
上記構成のコンピュータ１による処理について、図６および図７のフロー図に基づいて説明する。
【００２３】
図６は情報検索処理についてのフロー図である。
ステップＳ１０１：情報検索時、図３に示すように、コンピュータ１は、ウェブ表示手段１９により表示手段１２に表示したブラウザウィンドウ２０に隣接して、検索ウィンドウ表示手段１５により検索ウィンドウ３０を表示する。
ステップＳ１０２：利用者は、バーコードリーダ１３により商品４に付されたバーコード５を読み取る。
【００２４】
ステップＳ１０３：コンピュータ１は、バーコードデータ入力手段１４により、バーコードリーダ１３により読み取られたバーコード５のデータを、検索ウィンドウ３０のバーコードデータ入力欄３１に入力するとともに検索手段１６へ引き渡す。
ステップＳ１０４：コンピュータ１は、検索手段１６により、バーコードデータ入力手段１４から引き渡されたバーコード５のデータに基づいてＤＢ７を検索し、バーコード５に対応するＵＲＬを取得してウェブ表示手段１９へ引き渡す。
【００２５】
ステップＳ１０５：コンピュータ１は、ウェブ表示手段１９により、検索手段１６から引き渡されたＵＲＬに基づいてウェブサーバ２ｃからウェブページ９を取得し、ブラウザウィンドウ２０内へ表示する。図８はウェブ表示手段１９によって表示手段１２に表示されたウェブページ９を示している。
【００２６】
以上のように、利用者は、バーコードリーダ１３により商品４に付されたバーコード５を読み取るだけで、このバーコード５に関連付けられたＵＲＬのウェブページ９を見ることが可能となる。すなわち、利用者は、商品４についての詳細な情報をウェブページ９から取得することができる。
【００２７】
ところで、サービス提供者によって提供される記録媒体６に記録されたデータは、サービス提供者による更新のタイミングによっては古いことがある。この場合、サービス利用者は、上記手順により商品４に付されたバーコード５を読み取ってウェブページ９を取得しようとしてもできないか、あるいは取得できたとしても誤った情報しか取得できないことになる。本実施形態におけるコンピュータ１の最も特徴的な部分は、この問題を解決することが可能な次に説明する情報更新処理である。
【００２８】
図７は情報更新処理についてのフロー図である。
ステップＳ２０１：情報更新時、図４に示すように、コンピュータ１は、ウェブ表示手段１９により表示手段１２に表示したブラウザウィンドウ２０に隣接して、情報入力ウィンドウ表示手段１７により情報入力ウィンドウ４０を表示する。
ステップＳ２０２：利用者は、バーコードリーダ１３により商品４に付されたバーコード５を読み取る。
ステップＳ２０３：コンピュータ１は、バーコードデータ入力手段１４により、バーコードリーダ１３により読み取られたバーコード５のデータを、図９に示すように情報入力ウィンドウ４０のバーコードデータ入力欄４１に入力する。
【００２９】
ステップＳ２０４：利用者は、キーボード等の入力手段１１を操作してこの商品４についての名称を情報入力ウィンドウ４０の名称入力欄４３に入力する。
ステップＳ２０５：また、利用者は、この商品４に関連するウェブページ８、すなわちバーコード５と関連付けしたいウェブページ８を探し出し、ウェブ表示手段１９によりブラウザウィンドウ２０内に表示させる。
【００３０】
ステップＳ２０６：利用者が、バーコード５と関連付けしたいウェブページ８をブラウザウィンドウ２０内に表示させた状態でＵＲＬ取込ボタン４４をマウス等の入力手段１１により押下すると、コンピュータ１は、ウェブページ８のＵＲＬを取得して情報入力ウィンドウ４０のＵＲＬ入力欄４２内に入力する。あるいは、利用者が、図１０に示すようにウェブページ８のプロパティウィンドウ５０を参照して、このウェブページ８のＵＲＬをＵＲＬ入力欄４２内に複写入力する。
【００３１】
ステップＳ２０７：利用者が、情報入力ウィンドウ４０の各入力欄４１，４２，４３に入力された内容を確認して、登録ボタン４５をマウス等の入力手段１１により押下すると、コンピュータ１は、データベース登録手段１８により、各入力欄４１，４２，４３に入力された内容を互いに関連付けしてＤＢ７へ登録する。
【００３２】
以上のように、本実施形態におけるコンピュータ１では、ブラウザウィンドウ２０に商品４のバーコード５と関連付けしたいウェブページ８を表示させた状態で、ブラウザウィンドウ２０に隣接して情報入力ウィンドウ４０が表示される。これにより、利用者は、ブラウザウィンドウ２０に表示されたウェブページ８のＵＲＬを参照して、このブラウザウィンドウ２０に隣接された情報入力ウィンドウ４０のＵＲＬ入力欄４２に容易に入力することができる。
【００３３】
また、このウェブページ８のＵＲＬと関連付けしたい商品４のバーコード５については、バーコードリーダ１３によって読み取るだけで、コンピュータ１のバーコードデータ入力手段１４により情報入力ウィンドウ４０のバーコード入力欄４１に自動的に入力されるため、あえてキーボード等の入力手段１１を用いて手入力する必要はない。
【００３４】
そして、必要に応じて商品４の名称を情報入力ウィンドウ４０の名称入力欄４３へ入力し、登録ボタン４５を押下すれば、この情報入力ウィンドウ４０のバーコードデータ入力欄４１に入力されたバーコードデータと、ＵＲＬ入力欄４２に入力されたＵＲＬおよび名称入力欄４３に入力された名称とが関連付けされてＤＢ７へ登録される。
【００３５】
このように、本実施形態におけるコンピュータ１では、情報検索サービス提供者によって記録媒体６により提供されるＤＢ７のデータに対し、サービス利用者が自らデータの登録、変更等の更新を容易に行うことが可能であり、サービス利用者は、サービス提供者によってＤＢ７のデータが更新されなくとも、いつでも必要に応じて更新し、最新の状態を保つことが可能となる。
【００３６】
【発明の効果】
本発明は、ＵＲＬに基づいてウェブサーバからウェブページを取得し表示するブラウザウィンドウに隣接して、少なくともバーコードデータおよびＵＲＬをそれぞれ入力するための入力欄を備えた情報入力ウィンドウを表示し、バーコードリーダによって読み取られたバーコードデータを情報入力ウィンドウのバーコードデータの入力欄へ入力し、情報入力ウィンドウのＵＲＬの入力欄に入力されたＵＲＬを情報入力ウィンドウのバーコードデータの入力欄に入力されたバーコードデータに関連付けしてデータベースへ登録するように構成したので、情報検索サービス提供者によって提供されるデータベースに対し、サービス利用者が自らデータの登録、変更等の更新を容易に行うことが可能となり、サービス利用者は、サービス提供者によってデータベースのデータが更新されなくとも、いつでも必要に応じて更新し、最新の状態を保つことが可能となる。
【図面の簡単な説明】
【図１】本発明の実施の形態における情報検索システムの概略構成図である。
【図２】情報検索プログラムおよび情報更新プログラムを実行した図１のコンピュータの機能ブロック図である。
【図３】ブラウザウィンドウおよび検索ウィンドウを示す図である。
【図４】ブラウザウィンドウおよび情報入力ウィンドウを示す図である。
【図５】データベースに登録された内容の例を示す図である。
【図６】情報検索処理についてのフロー図である。
【図７】情報更新処理についてのフロー図である。
【図８】ブラウザウィンドウおよび検索ウィンドウの表示例を示す図である。
【図９】ブラウザウィンドウおよび情報入力ウィンドウの表示例を示す図である。
【図１０】利用者がウェブページのプロパティウィンドウを参照してＵＲＬをＵＲＬ入力欄に複写入力する例を示す図である。
【符号の説明】
１  コンピュータ
２ａ，２ｂ，２ｃ  ウェブサーバ
３  インターネット
４  商品
５  バーコード
６  記録媒体
７  データベース（ＤＢ）
８，９  ウェブページ
１１  入力手段
１２  表示手段
１３  バーコードリーダ
１４  バーコードリーダ入力手段
１５  検索ウィンドウ表示手段
１６  検索手段
１７  情報入力ウィンドウ表示手段
１８  データベース登録手段
１９  ウェブ表示手段
２０  ブラウザウィンドウ
３０  検索ウィンドウ
３１  バーコードデータ入力欄
３２  クリアボタン
４０  情報入力ウィンドウ
４１  バーコードデータ入力欄
４２  ＵＲＬ入力欄
４３  名称入力欄
４５  登録ボタン
４６  クリアボタン
５０  プロパティウィンドウ
【図１】
2004227404.tif 000003
【図２】
2004227404.tif 000004
【図３】
2004227404.tif 000005
【図４】
2004227404.tif 000006
【図５】
2004227404.tif 000007
【図６】
2004227404.tif 000008
【図７】
2004227404.tif 000009
【図８】
2004227404.tif 000010
【図９】
2004227404.tif 000011
【図１０】
2004227404.tif 000012